【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
接合部分と、
複数のパドルを備えるアンカー部分であって、前記パドルは外側部分および内側部分を有しかつ折り畳まれた閉じた位置から開いた位置へと延伸可能である、アンカー部分と、
前記複数のパドルの各々に取り付けられた留め具であって、
前記パドルの前記内側部分に取り付けられた固定アーム、
返しの付いた部分を有する可動アーム、および
前記固定アームを前記可動アームにヒンジ式に接続するヒンジ部分、を備え、
前記留め具が閉じた位置にあるときに前記可動アームは前記固定アームと実質的に平行である、留め具と、
を備える、移植可能な人工補綴デバイス。
【請求項２】
前記留め具は頂層と底層とから形成されており、前記頂層および前記底層は形状記憶材料から形成されている、請求項１に記載の移植可能な人工補綴デバイス。
【請求項３】
前記頂層および前記底層が、前記留め具を開いている間に前記頂層および前記底層が互いに対して摺動できるように、１か所においてのみ連結されている、請求項２に記載の移植可能な人工補綴デバイス。
【請求項４】
前記返しの付いた部分は返しと返し支持部とを含み、前記返しは前記底層から形成されており、前記返し支持部は前記頂層から形成されている、請求項２または３に記載の移植可能な人工補綴デバイス。
【請求項５】
前記ヒンジ部分に隣接する前記固定アームおよび前記可動アームの端部は、互いからあるずらし距離だけずらされている、請求項１から４のいずれか一項に記載の移植可能な人工補綴デバイス。
【請求項６】
前記留め具は形状記憶材料から形成されており、前記固定アームおよび前記可動アームは、前記固定アームが前記可動アームとほぼ平行であるときに前記固定アームと前記可動アームとの間に挟持力が存在するような事前負荷位置において形状設定されている、請求項１から５のいずれか一項に記載の移植可能な人工補綴デバイス。
【請求項７】
前記固定アームは、前記閉じた位置を越えて前記事前負荷位置まで前記閉じる方向に曲げられる、請求項６に記載の移植可能な人工補綴デバイス。
【請求項８】
形状設定後、前記固定アームは前記事前負荷位置へと戻ることをクロス部材によって阻止される、請求項６に記載の移植可能な人工補綴デバイス。
【請求項９】
前記可動アームが完全に開いた位置へと前記固定アームから約１４０度開かれるときに、前記留め具の材料の塑性限界を超えない、請求項１から８のいずれか一項に記載の移植可能な人工補綴デバイス。
【請求項１０】
前記留め具は厚い部分と薄い部分とを有する形状記憶材料から形成されている、請求項１に記載の移植可能な人工補綴デバイス。
【請求項１１】
前記返しの付いた部分の返しは前記留め具の長さの方向へと先細になっている、請求項１から１０のいずれか一項に記載の移植可能な人工補綴デバイス。
【請求項１２】
前記留め具の穴は前記留め具の幅を横切って延在する、請求項１から１１のいずれか一項に記載の移植可能な人工補綴デバイス。
【請求項１３】
接合部分と、
複数のパドルを備えるアンカー部分であって、前記パドルは外側部分および内側部分を有しかつ折り畳まれた閉じた位置から開いた位置へと延伸可能である、アンカー部分と、
前記複数のパドルの各々に取り付けられた留め具であって、
前記パドルの前記内側部分に取り付けられた固定アーム、
返しの付いた部分を有する可動アーム、および
前記固定アームを前記可動アームにヒンジ式に接続するヒンジ部分、を備える、留め具と、
を備える、移植可能な人工補綴デバイスであって、
前記アンカー部分が前記開いた位置にあり前記留め具が閉じた状態にあるときに、捕捉箇所を含まない、移植可能な人工補綴デバイス。
【請求項１４】
前記デバイスは前記デバイスの幅の３分の１よりも大きい深さを有するどのような凹部も含まない、請求項１３に記載の移植可能な人工補綴デバイス。
【請求項１５】
前記ヒンジ部分は、前記留め具が前記閉じた状態にあるときに丸みを帯びている、請求項１３に記載の移植可能な人工補綴デバイス。
【請求項１６】
前記ヒンジ部分は複数のばねセグメントを備え、各ばねセグメントは複数のばねセグメントに接続されている、請求項１３に記載の移植可能な人工補綴デバイス。
【請求項１７】
前記ばねセグメントは第１の端部と第２の端部とを備え、
あるばねセグメントの前記第１の端部は、別のばねセグメントの前記第１の端部および前記第２の端部の少なくとも一方に接続されている、
請求項１６に記載の移植可能な人工補綴デバイス。
【請求項１８】
前記ばねセグメントは、第１の端部と、第２の端部と、第１の側部と、第２の側部と、を備え、
前記第１の端部には第１の側部の連結場所が隣接しており、
前記第１の側部には第１の端部の連結場所が隣接しており、
前記第２の端部には第２の側部の連結場所が隣接しており、
前記第２の側部には第２の端部の連結場所が隣接している、
請求項１６または１７に記載の移植可能な人工補綴デバイス。
【請求項１９】
前記ばねセグメントは複数の横の列および縦の列として配置されており、
前記留め具の側縁部に近接しているばねセグメントの第１の端部または第２の端部は、１つの他のばねセグメントに連結されており、
隣接する縦の列に近接しているばねセグメントの前記第１の端部または前記第２の端部は、少なくとも１つの他のばねセグメントに連結されている、
請求項１７に記載の移植可能な人工補綴デバイス。
【請求項２０】
前記留め具は頂層と底層とから形成されており、前記頂層および前記底層は形状記憶材料から形成されている、請求項１３から１９のいずれか一項に記載の移植可能な人工補綴デバイス。
【請求項２１】
前記頂層および前記底層が、前記留め具を開いている間に前記頂層および前記底層が互いに対して摺動できるように、１か所においてのみ連結されている、請求項２０に記載の移植可能な人工補綴デバイス。
【請求項２２】
前記留め具は形状記憶材料から形成されており、前記固定アームおよび前記可動アームは、前記固定アームが前記可動アームとほぼ平行であるときに前記固定アームと前記可動アームとの間に挟持力が存在するような事前負荷位置において形状設定されている、請求項１３から２１のいずれか一項に記載の移植可能な人工補綴デバイス。
【請求項２３】
前記固定アームは、前記閉じた位置を越えて前記事前負荷位置まで前記閉じる方向に曲げられる、請求項２２に記載の移植可能な人工補綴デバイス。
【請求項２４】
形状設定後、前記固定アームは前記事前負荷位置へと戻ることをクロス部材によって阻止される、請求項２３に記載の移植可能な人工補綴デバイス。
【請求項２５】
前記可動アームが完全に開いた位置へと前記固定アームから約１４０度開かれるときに、前記留め具の材料の塑性限界を超えない、請求項１３から２４のいずれか一項に記載の移植可能な人工補綴デバイス。
【請求項２６】
前記留め具は厚い部分と薄い部分とを有する形状記憶材料から形成されている、請求項１３に記載の移植可能な人工補綴デバイス。
【請求項２７】
前記返しの付いた部分の返しは前記留め具の長さの方向へと先細になっている、請求項１３から２６のいずれか一項に記載の移植可能な人工補綴デバイス。
【請求項２８】
前記留め具は管状の材料片から切削される、請求項１３から２７のいずれか一項に記載の移植可能な人工補綴デバイス。